(57)【要約】【課題】  医用診断レポートの所見の根拠となる医用画像を容易に把握することを可能とする、医用診断レポート作成装置と医用情報保管装置とが接続される医療情報システム。【解決手段】  文字情報と文字情報の少なくとも一部に医用画像を読み出すために関連付けられたリンク情報とを含む医用診断レポートを表示し、医用画像のサムネイル画像を記憶し、表示された医用診断レポートに含まれるリンク情報に基づいて特定される医用画像のサムネイル画像を読み出し、表示する。【選択図】  図１
2010119512.tif 000002
【特許請求の範囲】
【請求項１】
医用画像に対する医用診断レポートを表示するための医用診断レポート表示装置と医用画像を保管する医療情報保管装置とが接続される医療情報システムにおいて、
前記医用診断レポート表示装置は、
文字情報と当該文字情報の少なくとも一部に前記医用画像を読み出すために関連付けられたリンク情報とを含む医用診断レポートを表示する表示手段と、
この表示手段に表示された前記医用診断レポートに含まれる前記リンク情報に基づいて特定される前記医用画像のサムネイル画像を前記表示手段に表示するために、当該サムネイル画像の読み出し要求を前記医療情報保管装置に送信する制御手段と、
を備え、
前記医療情報保管装置は、
前記医用画像のサムネイル画像を記憶する記憶手段と、
前記医用診断レポート表示装置の制御手段からの前記サムネイル画像の読み出し要求に基づいて、当該サムネイル画像を前記記憶手段から読み出して前記医用診断レポート表示装置に送信する送信手段と、
を備えることを特徴とする医療情報システム。
【請求項２】
文字情報と当該文字情報の少なくとも一部に前記医用画像を読み出すために関連付けられたリンク情報とを含む医用診断レポートを表示する表示手段と、
前記医用画像のサムネイル画像を記憶する記憶手段と、
この表示手段に表示された前記医用診断レポートに含まれる前記リンク情報に基づいて特定される前記医用画像のサムネイル画像を前記表示手段に表示するために、当該サムネイル画像を前記記憶手段から読み出す制御手段と、
を備えることを特徴とする医療情報システム。
【請求項３】
前記医用画像のリンク情報を前記文字情報と当該文字情報の少なくとも一部にリンク付けするリンク付け処理手段と、
前記リンク情報に基づいて特定される前記医用画像のサムネイル画像を生成するサムネイル画像生成手段を有することを特徴とする請求項１又は請求項２に記載の医療情報システム。
【請求項４】
前記サムネイル画像生成手段は、前記リンク付け処理手段が前記医用画像のリンク情報を前記文字情報と当該文字情報の少なくとも一部にリンク付けする動作に応じて、前記医用画像に関する前記サムネイル画像を生成することを特徴とする請求項３に記載の医療情報システム。
【請求項５】
前記サムネイル画像生成手段は、前記医用情報保管装置にかかる負荷が軽いときに、前記医用画像に関する前記サムネイル画像を生成することを特徴とする請求項４に記載の医療情報システム。
【請求項６】
前記サムネイル画像生成手段は、前記医用診断レポート閲覧時に、この医用診断レポートに含まれる前記リンク情報に基づいて、前記医用画像に関する前記サムネイル画像を生成することを特徴とする請求項３に記載の医療情報システム。
【請求項７】
前記サムネイル画像生成手段は、前記医用画像の前記リンク情報に基づいて前記記憶手段に記憶される複数の医用画像の中から関連医用画像を選択し、この関連医用画像に関する関連サムネイル画像を生成し、
前記サムネイル画像表示手段は、この関連サムネイル画像を表示することを特徴とする請求項３に記載の医療情報システム。
【請求項８】
前記関連医用画像は、同一の検査において異なる時間に取得された医用画像であることを特徴とする請求項７に記載の医療情報システム。
【請求項９】
前記関連医用画像は、同一の検査において前記被検体に対して体軸方向の位置が異なる医用画像であることを特徴とする請求項７に記載の医療情報システム。
【請求項１０】
医用画像を保管すると共に当該医用画像のサムネイル画像を生成又は保管する医療情報保管装置に接続される医用診断レポート表示装置において、
文字情報と当該文字情報の少なくとも一部に前記医用画像を読み出すために関連付けられたリンク情報とを含む医用診断レポートを表示する表示手段と、
この表示手段に表示された前記医用診断レポートに含まれる前記リンク情報に基づいて特定される前記医用画像のサムネイル画像を前記医用情報保管装置に送信するよう指示すると共に、前記医用情報保管装置から受信したサムネイル画像を前記表示手段に表示させる制御手段と、
を備えることを特徴とする医用診断レポート表示装置。
【請求項１１】
前記医用画像のリンク情報を前記文字情報と当該文字情報の少なくとも一部にリンク付けするリンク付け処理手段を更に備え、
前記制御手段は、前記リンク情報により特定される医用画像のサムネイル画像を生成するよう前記医療情報保管装置に指示を送信することを特徴とする請求項１０に記載の医用診断レポート表示装置。
【請求項１２】
前記制御手段は、前記医療情報保管装置にかかる負荷が軽いときに、前記医用画像に関する前記サムネイル画像を生成するよう指示を前記医用情報保管装置に送信することを特徴とする請求項１０に記載の医用診断レポート表示装置。
【請求項１３】
前記制御手段は、前記医用診断レポート閲覧時に、この医用診断レポートに含まれる前記リンク情報に基づいて、前記医用画像に関する前記サムネイル画像を生成するよう指示を前記医療情報保管装置に送信することを特徴とする請求項１０に記載の医用診断レポート表示装置。
【請求項１４】
前記制御手段は、前記リンク付け処理手段が前記医用画像のリンク情報を前記文字情報と当該文字情報の少なくとも一部にリンク付けする動作に応じて、前記医用画像に関する前記サムネイル画像を生成するよう指示を前記医療情報保管装置に送信することを特徴とする請求項１１に記載の医用診断レポート表示装置。
【発明の詳細な説明】
【技術分野】
【０００１】
本発明は、医療情報保管装置に接続される医用診断レポート表示装置、およびそれらが接続された医療情報システムに関する。
【背景技術】
【０００２】
従来から、医療行為の専門分野が細分化され、Ｘ線ＣＴ装置、ＭＲＩ装置等の医用画像診断装置で撮影した医用画像の読影を専門の読影医に依頼することが広く行われている。このような読影依頼に際し、読影医は読影対象の医用画像を表示させて読影を行い、その結果を医用診断レポートにまとめ、依頼元に渡す。
【０００３】
既に、この医用診断レポートの作成を電子的に行う装置が実用化されている。（例えば、特許文献１参照。）。このような装置を用いて、読影医は、画像サーバ等の医療情報保管装置に保管されている医用画像を医用画像表示用のモニタに表示させる。同時に、読影医は、医用診断レポート表示用のモニタに新規の医用診断レポートを作成するための医用診断レポート作成画面を表示させる。そして、読影医は、表示させた医用画像に基づいて、この医用診断レポート作成画面にて、所見欄、診断欄等の各項目に読影結果に関する情報を示す文字列を入力する。さらに、読影医は、診断の根拠となる画像（以下、キー画像ともいう。）を、入力した文字列の任意の部分に関連付けする。読影医は、入力した文字列の一部を指定し、そこに表示させている医用画像を例えばドラッグ＆ドロップ操作することにより、関連付けをする。具体的には、指定した文字列にドラッグ＆ドロップ操作した医用画像を読み出すためのアドレス情報をハイパーリンクの形式で貼りつける。このアドレス情報とは、ネットワーク上での医用画像を特定するアドレス情報や、当該医用画像が保存されている医療情報保管装置のネットワーク上でのアドレスと当該医用画像の識別情報とを含むようなものである。このようにしてハイパーリンクが付けられた文字列を操作者が指定することにより、その文字列にリンク付けされた医用画像を画像サーバから読み出して表示させることができる。
【０００４】
更に、必要に応じて、前述のドラッグ＆ドロップ操作の際に、対象となる医用画像を縮小したサムネイル画像を生成し、医用診断レポートへ貼付することができる。すなわち、医用診断レポートのデータにサムネイル画像自体を含めてしまう。これにより、ハイパーリンクが付けられた文字列を指定して、医用画像を画像サーバから読み出して表示させることなく、リンク付けされている医用画像のサムネイル画像が医用診断レポート作成画面に表示され、その文字列に対応した医用画像を確認することができる。
【０００５】
また、医用診断レポート表示用のモニタには、新規に医用診断レポートを作成するための情報だけでなく、新規の医用診断レポートと同一患者の過去の医用診断レポートのデータを表示させることもできる。過去の医用診断レポートに含まれる文字列にサムネイル画像が貼り付けられている場合には、リンク付けされている医用画像をそのサムネイル画像で確認することができる。
【特許文献１】特開２００５−３０１４５３号公報
【発明の開示】
【発明が解決しようとする課題】
【０００６】
しかしながら、従来技術の場合、医用診断レポートに医用画像のサムネイル画像を貼付することで、医用診断レポート自体のデータ容量が多くなる。そのため、医用診断レポートの保存先であるサーバの容量の関係上、一つの医用診断レポートに貼付可能なサムネイル画像の枚数は通常、所定の枚数に制限され、その所定の枚数を超える分の医用画像に関しては、医用診断レポートに貼付されない。
【０００７】
つまり、一つの医用診断レポートの所見欄の文字列にリンク付けされたアドレス情報に対応する医用画像の枚数が、医用診断レポートに貼付可能なサムネイル画像の枚数の上限を超える場合、医用画像に対応するサムネイル画像を医用診断レポート表示用のモニタに表示できない場合がある。
【０００８】
よって、医用診断レポートにサムネイル画像が貼付されない医用画像を操作者が把握するためには、操作者自らが、医用画像の個別表示のための操作を行わなければならず、この作業は操作者にとって負担となる。
【０００９】
本発明は、このような事情を考慮してなされたものであり、その目的とするところは、医用診断レポートの作成および閲覧に関する操作の効率を上げることを可能とする医療情報システムおよび医用診断レポート表示装置を提供することである。
【課題を解決するための手段】
【００１０】
前記目的を達成するために、本発明の請求項１に係る医療情報システムは、医用画像に対する医用診断レポートを表示するための医用診断レポート表示装置と医用画像を保管する医療情報保管装置とが接続される医療情報システムにおいて、前記医用診断レポート表示装置は、文字情報と当該文字情報の少なくとも一部に前記医用画像を読み出すために関連付けられたリンク情報とを含む医用診断レポートを表示する表示手段と、この表示手段に表示された前記医用診断レポートに含まれる前記リンク情報に基づいて特定される前記医用画像のサムネイル画像を前記表示手段に表示するために、当該サムネイル画像の読み出し要求を前記医療情報保管装置に送信する制御手段と、を備え、前記医療情報保管装置は、前記医用画像のサムネイル画像を記憶する記憶手段と、前記医用診断レポート表示装置の制御手段からの前記サムネイル画像の読み出し要求に基づいて、当該サムネイル画像を前記記憶手段から読み出して前記医用診断レポート表示装置に送信する送信手段と、を備えることを特徴とする。
【００１１】
また、前記目的を達成するために、本発明の請求項２に係る医療情報システムは、文字情報と当該文字情報の少なくとも一部に前記医用画像を読み出すためのアドレス情報が関連付けられたリンク情報とを含む医用診断レポートを表示する表示手段と、前記医用画像のサムネイル画像を記憶する記憶手段と、この表示手段に表示された前記医用診断レポートに含まれる前記リンク情報に基づいて特定される前記医用画像のサムネイル画像を前記表示手段に表示するために、当該サムネイル画像を前記記憶手段から読み出す制御手段と、を備えることを特徴とする。
【００１２】
また、前記目的を達成するために、本発明の請求項１０に係る医用診断レポート表示装置は、医用画像を保管すると共に当該医用画像のサムネイル画像を生成又は保管する医療情報保管装置に接続される医用診断レポート表示装置において、文字情報と当該文字情報の少なくとも一部に前記医用画像を読み出すためのアドレス情報が関連付けられたリンク情報とを含む医用診断レポートを表示する表示手段と、この表示手段に表示された前記医用診断レポートに含まれる前記リンク情報に基づいて特定される前記医用画像のサムネイル画像を前記医用情報保管装置に送信するよう指示すると共に、前記医用情報保管装置から受信したサムネイル画像を前記表示手段に表示させる制御手段と、を備えることを特徴とする。
【発明の効果】
【００１３】
本発明によれば、医用診断レポートの作成および閲覧に関する操作の効率を上げることが可能となる。
【発明を実施するための最良の形態】
【００１４】
以下、図面を参照して本発明の実施例を説明する。
【実施例１】
【００１５】
本実施例では、医用診断レポートの所見欄に入力された所見を構成する任意の文字列に対して、リンク付けされた医用画像に対応したサムネイル画像を医用情報保管装置から読み出して、医用診断レポートと併せて医用診断レポート作成画面に表示する例について説明する。本実施例では、サムネイル画像は、医用診断レポートを表示する前に作成され、医用情報保管装置に保存されている。
【００１６】
（構成）
まず、本実施例における医療情報システム１００の構成につき、図１を用いて説明する。
【００１７】
図１は本実施例における医療情報システム１００の構成を示すブロック図である。ネットワークＮには、被検体の医用画像を得るためのフィルムディジタイザ１１（ＦＤＧ）、ディジタルラジオグラフィー１２（ＤＲ）、ディジタルフルオログラフィ１３（ＤＦ）、Ｘ線コンピュータ断層撮影装置１４（ＣＴ）、核医学診断装置１５（ＮＭ）、超音波診断装置１６（ＵＳ）、電子内視鏡１７（ＥＥＳ）、磁気共鳴イメージング装置１８（ＭＲＩ）等の医用画像診断装置１（以下、モダリティともいう。）と、例えば放射線課読影室に設置され、依頼された読影画像に対する医用診断レポートを作成する医用診断レポート作成装置２と、画像サーバ３１およびレポートサーバ３２を有する医療情報サーバ３とが接続されており、相互に情報通信が可能となっている。医用画像診断装置１は、取得した医用画像をネットワークＮを介して画像サーバ３１に送信し、画像サーバ３１は送られた医用画像を保存する。医用診断レポート作成装置２は、定期的に画像サーバ３１にアクセスし、読影の必要がある医用画像が新たに画像サーバ３１に保存されていないかどうかの確認を行い、新たに読影の必要のある医用画像が画像サーバ３１に保存されていることが確認された場合、医用診断レポート作成装置２は新規の医用診断レポートを作成可能とする。作成された医用診断レポートは、ネットワークＮを介してレポートサーバ３２に送られ保存される。
【００１８】
更に、一般的なパーソナルコンピュータ等を医療情報の閲覧端末として用いるＷｅｂクライアント４がネットワークＮに接続可能となっており、病院関係者や、読影を依頼された外部の読影医等が病院内外から医療情報の閲覧を行うために、このＷｅｂクライアント４を利用する。
【００１９】
続いて、前述の医用診断レポート作成装置２及び医療情報サーバ３に関して、更に詳細な説明を行なう。
【００２０】
まず、医用診断レポート作成装置２の構成について図２を用いて説明する。
【００２１】
図２は本実施例における医用診断レポート作成装置２の構成を示すブロック図である。
【００２２】
医用診断レポート作成装置２は、例えばコンピュータであり、医用診断レポートの作成及び閲覧に関する処理を行なう情報処理部２１、ネットワークＮ上の他の端末とデータの送受信を行なう通信ポート２２、情報処理において情報を一旦格納するための記憶部２３を備える。
【００２３】
更に、医用診断レポート作成装置２は、入力部２４、表示部２５を備え、入力部２４はキーボード２４１や、マウス２４２等のポインティングデバイスを有し、表示部２５は医用診断レポート作成画面２５１、医用画像表示画面２５２を有する。
【００２４】
尚、医用画像表示画面２５２には、一度に多数の医用画像を表示できるように、マルチディスプレイを適用してもよい。
【００２５】
ここで本発明において重要な機能を有する情報処理部２１に関して更に詳細な説明を行なう。
【００２６】
情報処理部２１は、通信ポート２２を介して医療情報サーバ３から医用診断レポートの作成において参照される医用画像、過去の医用診断レポート、またその医用診断レポートにおける所見や添付される読影対象の医用画像の編集に関する履歴情報等のコンテンツを読み出し、記憶部２３に格納しておく。
【００２７】
また、情報処理部２１は医用診断レポートを作成・編集するレポート作成部２１１、医用診断レポートの作成の際、所見欄に入力される所見を構成する文字列の少なくとも一部に対して、医用画像のアドレス情報をハイパーリンクの形式で貼るハイパーリンク処理部２１２、後述の画像サーバ３１が備えるサムネイル画像生成部３１２によって生成されたサムネイル画像を貼付した医用診断レポートの表示用の画像を生成し、表示部２５へ送る表示用画像生成部２１３を備える。ここで、アドレス情報とは、ネットワーク上で医用画像を特定するアドレス情報や、当該医用画像が保存されている画像サーバのネットワーク上でのアドレスと当該医用画像を識別するための識別情報とを含むようなものであり、当該医用画像を読み出すことができればどのような態様のものであっても良い。
【００２８】
更に、医用診断レポート作成装置２はサムネイル画像生成指示部２１４を備える。サムネイル画像生成指示部２１４は、ハイパーリンク処理動作中に、文字列にアドレス情報をハイパーリンクの形式で貼付する際、そのアドレス情報と、設定されているサムネイル画像生成条件を画像サーバ３１に送る。そして、画像サーバ３１が、サムネイル画像を生成保存し、当該サムネイル画像を特定するアドレス情報は、レポート作成部２１１によって医用診断レポートに医用画像のアドレス情報とは別途、貼付される。
【００２９】
尚、サムネイル画像生成条件には、サムネイル画像表示時の構成画素数や、表示画面上でのサイズなどのパラメータが含まれ、その設定は入力部２４を用いて行なわれるものであり、随時変更可能に構成してもよい。
【００３０】
続いて、医療情報サーバ３の構成に関して図３を用いて説明する。
【００３１】
図３は本実施例における医療情報サーバ３の構成を示すブロック図である。
【００３２】
医療情報サーバ３は、画像サーバ３１とレポートサーバ３２から構成され、画像サーバ３１は、通信ポート３１１、サムネイル画像生成部３１２、画像データ保存部３１３、画像出力部３１４およびこれらの各ユニットの動作を統括的に制御し、ＣＰＵとメモリ（図示は省略）を有する制御部３１５を備える。
【００３３】
通信ポート３１１は、医用画像診断装置１が撮影した医用画像や、サムネイル画像生成指示部２１４から送られるサムネイル画像生成の対象となる医用画像のアドレス情報やサムネイル画像生成条件等の受信や、生成されたサムネイル画像の送信等の際に他の装置と通信を行なう。
【００３４】
サムネイル画像生成部３１２は、通信ポート３１１を介して医用診断レポート作成装置２側のサムネイル画像生成指示部２１４からサムネイル画像生成条件を受け、そのサムネイル画像生成条件に基づいてサムネイル画像を生成すると共に、通信ポート３１１を介して、医用診断レポート作成装置２にサムネイル画像を送る。
【００３５】
更に、画像データ保存部３１３は、医用画像診断装置１から送られる医用画像や、前述のサムネイル画像生成部３１２により生成されたサムネイル画像を保存する。
【００３６】
また、レポートサーバ３２は、医用診断レポート作成装置２により作成された医用診断レポートの受信や、医用診断レポート作成装置２からの医用診断レポートの閲覧要求に伴う医用診断レポート等の送信の際、他の装置と通信を行う通信ポート３２１、医用診断レポートや、後述の検査情報テーブル、患者情報テーブル、所見情報テーブル、アドレス情報テーブルを保存するレポートデータ保存部３２２、レポート出力部３２３を備える。また、これらの各ユニットの動作を統括的に制御し、ＣＰＵとメモリ（図示は省略）を備える制御部３２４を有する。
【００３７】
次に、レポートサーバ３２がレポートデータ保存部３２２に保存する検査情報テーブル、患者情報テーブル、所見情報テーブル、アドレス情報テーブルについて図４、図５を用いて説明する。
【００３８】
図４（ａ）は検査情報テーブルを示しており、各患者ＩＤ、検査が実施された日付及び検査に用いられたモダリティ名が記録されており、それぞれの情報に対してレポートＩＤが付けられている。新規に医用診断レポートを作成するとレポートＩＤが発行され、そのレポートの対象となる検査の患者ＩＤ、検査日、モダリティ名が関連付けされ保存される。このテーブルを使って、同一患者、同一モダリティ等の条件で医用診断レポートを検索することが可能となる。
【００３９】
図４（ｂ）は、患者情報テーブルを示しており、患者ＩＤに対応する、患者の氏名、性別、年齢等が記録されている。後述する患者の患者情報の表示に利用される。
【００４０】
図４（ｃ）は、所見情報テーブルを示しており、レポートＩＤと、そのレポートＩＤに対応する医用診断レポートの各レポート項目（本実施例では書誌的事項、所見欄、診断欄）とこれらのレポート項目に記載される文字列データが記録されている。医用診断レポートの作成に当たって入力された各項目の内容は、このテーブルに記録され、医用診断レポートの表示の際には、このテーブルの内容が読み出され表示される。
【００４１】
図５は、アドレス情報テーブルを示しており、レポートＩＤと、そのレポートＩＤに対応する医用診断レポートの所見欄に記載される文字列に設定されているハイパーリンク設定箇所情報と、更に各ハイパーリンク設定箇所情報に貼付されている医用画像のアドレス情報及び当該医用画像のサムネイル画像のアドレス情報が保存されている。ハイパーリンク処理動作によって、これらの情報が保存されていき、後述するハイパーリンクが貼られた所見からの医用画像の表示処理や、医用診断レポートの表示における縮小画像の表示処理にこのテーブルの情報が利用される。尚、サムネイル画像のアドレス情報は、医用画像のアドレス情報を所定の規則によって変更したものとして設定しておけば、アドレス情報テーブルとして記憶する必要はない。例えば、医用画像のアドレス情報が「ｈｔｔｐ：／／ｒｅｐｏｒｔ／ｒｅｐｏｒｔ．ａｓｐ？ｐｉｄ＝３４５６７８＆ｓｔｄ＝２００８０１０１＆ｘｘｘ＝０００１」である場合、サムネイル画像を保存する際、その保存先のアドレス情報を前述の医用画像のアドレス情報の末尾に「＆ｍｏｄｅ＝ｔｈｕｍｂｎａｉｌ」を付けた「ｈｔｔｐ：／／ｒｅｐｏｒｔ／ｒｅｐｏｒｔ．ａｓｐ？ｐｉｄ＝３４５６７８＆ｓｔｄ＝２００８０１０１＆ｘｘｘ＝０００１＆ｍｏｄｅ＝ｔｈｕｍｂｎａｉｌ」とするとあらかじめ設定しておけばよい。
【００４２】
以上説明したような図４及び図５に示されるテーブルにおいて、１つのレポートＩＤに関連付けられている情報を全てあるいはその一部を集めたものが１つのレポートＩＤに対応する医用診断レポートの情報を構成することになる。（以下、この情報をレポートデータともいう。）尚、これらの情報テーブルは本実施例に記載した内容に限ったものではなく、必要に応じて情報の種類は更に増加させてもよい。
【００４３】
（動作）
（ハイパーリンクの貼り付け処理に関する動作）
以上のように構成された医療情報システム１００に関して、まず医用診断レポート作成装置２による医用診断レポートの作成動作におけるハイパーリンクの貼り付け処理に関する説明を、図６、図７を用いて行なう。
【００４４】
図６は医用診断レポート作成装置２を用いたドラッグ＆ドロップ操作によるハイパーリンクの貼り付け処理に係る表示画面を示す図である。
【００４５】
図６の医用診断レポート作成画面２５１に表示されたレポート作成ウィンドウＷ１は、図示しない患者の氏名、年齢、性別等が表示される患者情報欄、患者の病歴、検査目的、撮影条件等の書誌的事項が表示される書誌的事項欄Ｉ１、所見を記入する所見欄Ｉ２、診断結果を記入する診断欄Ｉ３、所見欄Ｉ２にリンク付けされたコンテンツのサムネイル画像が表示されるリンク一覧Ｉ４を有する。また、医用画像表示画面２５２に表示される医用画像表示ウィンドウＷ２は、図６中に示される６枚の参照画像ＩＭＡＧＥ１１、ＩＭＡＧＥ１２、ＩＭＡＧＥ１３、ＩＭＡＧＥ１４、ＩＭＡＧＥ１５、ＩＭＡＧＥ１６のような読影のための参照画像が表示されている。また、図６中のＣＳ１１、ＣＳ１２、ＣＳ１３は医用画像のアドレス情報をハイパーリンクの形式で貼られているリンク対応範囲の文字列を示し、またＴＨ１１、ＴＨ１２、ＴＨ１３は前述の文字列ＣＳ１１、ＣＳ１２、ＣＳ１３に貼られるアドレス情報により特定される医用画像のサムネイル画像である。
【００４６】
図７は、図６に示されるような表示画面により行なわれるハイパーリンクの貼り付け処理のフローチャートであり、医用診断レポートの作成動作におけるハイパーリンクの貼り付け処理に関して図７を参照しながら説明を行なう。
【００４７】
（図７のステップＳ１１）
まず、医用診断レポート作成装置２の表示部２５には、これまで行われた検査のリストが表示される。この検査リストから、操作者が入力部２４を使って、医用診断レポートを作成する対象の検査を選択することにより、医用診断レポート作成画面２５１に新規作成用の医用診断レポートが表示される。そして、当該検査の読影対象としての医用画像を画像サーバ３１から受信し、医用画像表示画面２５２に表示する。このとき表示される医用画像のアドレス情報は、記憶部２３に保持される。
【００４８】
（図７のステップＳ１２）
医用診断レポート作成画面２５１に表示される医用診断レポートの所見欄Ｉ４に、操作者が入力部２４を用いて、所見を示す文字列を入力する。入力された文字列は、表示用画像生成部２１３により医用診断レポート作成画面２５２上の医用診断レポートの所見欄Ｉ２に表示される。このように所見欄に所見を示す文字列が表示された状態で、操作者は、ハイパーリンクを貼り付ける文字列の任意の範囲を入力部２４を使って指定する。すなわち、図６の文字列ＣＳ１１、ＣＳ１２、ＣＳ１３のようなリンク対応範囲を特定する。ハイパーリンク処理部２１２はリンク対応範囲に関する指示信号を受け付け、文字列におけるリンク対応範囲を認識する。
【００４９】
（図７のステップＳ１３）
次に、操作者はマウス２４２を用いて、図５に示すように、医用画像表示画面２５２に表示されている医用画像の中でハイパーリンク処理部２１２が認識したリンク対応範囲にハイパーリンクの貼り付け処理を行おうとする医用画像を指定するためのドラッグ操作を行い、医用診断レポート作成画面２５１のリンク対応範囲にドロップ操作する。このドラッグ＆ドロップ操作により、ハイパーリンク処理部２１２は指定されたリンク対応範囲にリンクさせようとする医用画像を認識する。例えば、図６では、文字列ＣＳ１１、ＣＳ１２、ＣＳ１３に対して、参照画像ＩＭＡＧＥ１１、ＩＭＡＧＥ１２、ＩＭＡＧＥ１３をドラッグ＆ドロップ操作によって対応させている。（以下、文字列の指定からドラッグ＆ドロップ操作までをリンク付け操作ともいう。）
【００５０】
（図７のステップＳ１４）
そして、ハイパーリンク処理部２１２は、その医用画像のサムネイル画像を画像サーバ３１が生成できるように記憶部２３に保持している当該医用画像のアドレス情報を画像サーバ３１に送信する。すなわち、サムネイル画像生成指示部２１４は、所見内のリンク対応範囲にリンクさせようとする医用画像のアドレス情報に基づいて、この医用画像のサムネイル画像の生成を行なうよう、画像サーバ３１に指示を送る。その際、サムネイル画像生成指示部２１４は、構成画素数や、医用診断レポート作成画面２５１上での表示サイズなどの、サムネイル画像生成条件もアドレス情報と併せて画像サーバ３１に送信する。そして、この指示により作成されたサムネイル画像とサムネイル画像のアドレス情報を画像サーバ３１から受信し、記憶部２３に記憶する。
【００５１】
（図７のステップＳ１５）
受信したサムネイル画像をリンク一覧Ｉ６に表示するように、表示用画像生成部２１３が、医用診断レポートの表示画像を生成し、表示部２５がその表示画像を表示する。
【００５２】
（図７のステップＳ１６）
そして、ハイパーリンク処理部２１２は、記憶部２３に保持されている当該医用画像のアドレス情報とサムネイル画像のアドレス情報を所見欄に含まれる文字列中のリンク対応範囲にハイパーリンクの形式で貼り付ける。例えば、図６では、文字列ＣＳ１１、ＣＳ１２、ＣＳ１３に対して、参照画像ＩＭＡＧＥ１１、ＩＭＡＧＥ１２、ＩＭＡＧＥ１３のアドレス情報とそれらのサムネイル画像のアドレス情報をそれぞれ貼り付ける。
【００５３】
（図７のステップＳ１７）
ハイパーリンク処理部２１２は、ハイパーリンクが設定されたリンク対応範囲の文字列の色を変更し又は下線を付して識別表示するよう、表示用画像生成部２１３に指示信号を送り、表示用画像生成部２１３は当該指示信号に基づいてリンク対応範囲の文字列の表示態様を変更した医用診断レポートの表示画像を生成し、表示部２５がその表示画像を表示する。
【００５４】
（図７のステップＳ１８）
続いて、他に参照する医用画像をリンクさせたい文字列があるか操作者が判断し、リンクさせたい文字列がある場合には、操作者は入力部２４を用いてリンク付け操作を行なう。すなわち、ステップＳ１７において、医用画像とリンクさせる文字列の指定を認識した場合には、次に、ステップＳ２の処理に戻り、ハイパーリンク処理動作を続行する。
【００５５】
（図７のステップＳ１９）
医用画像とリンクさせたい文字列がない場合には、操作者は入力部２４を用いて作成中の医用診断レポートのファイルを保存するようレポート作成部２１１に指示信号を送り、その指示信号に基づいてレポート作成部２１１は医用診断レポートのファイルをレポートサーバ３２に送り、レポートサーバ３２がそのファイルを保存し、一連の処理が完了する。このファイル保存により、図４（ａ）に示した検査情報テーブル、図４（ｃ）に示した所見情報テーブル、図５に示したアドレス情報テーブルが更新される。なお、本実施例においては、リンク一覧に表示されていたサムネイル画像は、レポートデータ保存部には保存されない。すなわち、従来の医用診断レポートのデータとは異なり、そのデータにサムネイル画像は含まれないので、ファイル容量を小さくできる。
【００５６】
以上説明したフローチャートの各ステップの順番は、図７に示すものに拘泥されず、その順番は、本発明の要旨の範囲で変更され得る。例えば、Ｓ１２とＳ１３は順番が逆であっても良いし、Ｓ１４乃至Ｓ１７に関しては、Ｓ１４の後にＳ１５が行なわれれば、どのような順番であっても良い。
【００５７】
（サムネイル画像生成に関する動作）
次に、リンク付け操作に併せて、この医用画像のサムネイル画像の生成、保存を行う際の本実施例における画像サーバ３１の動作の説明を、図８を用いて行う。
【００５８】
図８はリンク付け操作の際の本実施例における画像サーバ３１の動作フローを示した図である。
【００５９】
尚、この動作フローは図７のステップＳ１４での医用診断レポート作成装置２からの医用画像のサムネイル画像の生成指示を画像サーバ３１が受信した後に行なわれる動作のフローを示している。
【００６０】
（図８のステップＳ２１）
まず、画像サーバ３１は、医用診断レポート作成装置２から、サムネイル画像生成の指示を受信する。この時、サムネイル画像生成の対象となる医用画像のアドレス情報とサムネイル画像生成条件（サムネイル画像の構成画素数や、医用診断レポート作成画面２５１上での表示サイズなど）とを画像サーバ３１は受信する。
【００６１】
（図８のステップＳ２２）
画像サーバ３１が備えるサムネイル画像生成部３１２は、サムネイル画像生成指示部２１５より送られる医用画像のアドレス情報に基づいて、サムネイル画像生成の対象となる医用画像を画像データ保存部３１３より読み出す。
【００６２】
（図８のステップＳ２３）
そして、画像データ保存部３１３より読み出された医用画像と、受信したサムネイル画像生成条件に基づいてサムネイル画像生成部３１２がサムネイル画像を生成する。
【００６３】
（図８のステップＳ２４）
画像データ保存部３１３は、サムネイル画像生成部３１２が生成したサムネイル画像を保存する。
【００６４】
（図８のステップＳ２５）
保存されたサムネイル画像のアドレス情報を制御部３１５は、通信ポート３１１を介して医用診断レポート作成装置２に送信する。
【００６５】
以上の動作により、リンク付けされた医用画像のサムネイル画像が画像サーバ３１に準備される。
【００６６】
（医用診断レポートの閲覧に関する動作）
次に本実施例において、既に所見欄の文字列に医用画像のアドレス情報がハイパーリンクの形式で貼り付けられている医用診断レポートの閲覧を行なう際の動作について図９〜図１２を用いて説明する。
【００６７】
図９、１０は医用診断レポートの閲覧時の医用診断レポート作成画面２５１の表示例を示したものである。図９、１０ともに表示画面の右半分には、作成中の医用診断レポートが表示されており、図６にて説明した医用診断レポート作成画面２５１と同様のものであるので説明を省略する。左半分の患者情報欄Ｉ５には、患者情報が表示される。この患者情報は、図４にて説明した患者情報テーブルが参照され表示される。その下欄は、その患者に関する過去に作成された医用診断レポート（以下、単に過去レポートともいう。）が表示される領域である。まず、操作者が医用診断レポート作成対象の検査を医用診断レポート作成装置２の表示部２５に表示された検査リストから選択すると、その検査の患者ＩＤが特定される。そして、検査情報テーブルにより当該患者ＩＤに関連するレポートＩＤが特定され、表示画面上で選択ボタンＲにより特定されたレポートＩＤを持つ医用診断レポートが選択可能にされる。図９及び図１０の例では、過去レポートが３つ特定され選択ボタンＲ１、Ｒ２、Ｒ３で選択表示させることができるようになっている。図９においては、選択ボタンＲの下のリンク一覧Ｉ６、Ｉ７、Ｉ８に、それぞれの過去レポートにハイパーリンクが貼られた医用画像のサムネイル画像が表示されている。このサムネイル画像は、図５にて説明したアドレス情報テーブルが参照されて、画像サーバ３１から読み出されたものが表示されている。図１０においては、選択ボタンＲ１が選択され、その所見欄Ｉ６１と、リンク一覧Ｉ６が表示されている。ＣＳ３１〜ＣＳ３７はハイパーリンクが貼られた文字列を示し、その文字列それぞれにリンク付けされた医用画像のサムネイル画像がリンク一覧Ｉ６に表示されている。
【００６８】
図１１は、新規の医用診断レポートの作成において参考として過去レポートを閲覧する場合の、医療情報システム１００の動作フローを示す図である。先に説明した図９、図１０の表示画面を参照しながら、図１１を用いて、新規の医用診断レポートの作成において参考として過去レポートを閲覧する場合の動作について説明する。
【００６９】
尚、この動作フローは、図７にて説明したハイパーリンクの貼り付け処理のステップＳ１１と同時に行なわれるようにするのが好ましく、その場合、この動作フローの終了後に、図７のステップＳ１２が行なわれることになる。
【００７０】
（図１１のステップＳ３１）
操作者が医用診断レポート作成対象の検査を医用診断レポート作成装置２の表示部２５に表示された検査リストから選択すると、その検査の患者ＩＤが特定される。そして、医用診断レポート作成装置２は、特定された患者ＩＤに関連するレポートの読み出し要求のために、通信ポート２２を介してその患者ＩＤをレポートサーバに送信される。その患者ＩＤを受信したレポートサーバ３２では、検査情報テーブルにより当該患者ＩＤに関連するレポートＩＤを特定し、その特定したレポートＩＤを持つ医用診断レポートのレポートデータを医用診断レポート作成装置２に送信する。
【００７１】
（図１１のステップ３２）
医用診断レポート作成装置２は、レポートサーバ３２から送られるレポートデータを通信ポート２２を介して受信し、記憶部２３に記憶する。
【００７２】
（図１１のステップ３３）
レポート作成部２１１は、受信したレポートデータから、サムネイル画像のアドレス情報を認識し、そのアドレス情報に基づいてサムネイル画像を読み出す要求を画像サーバ３１に送信する。画像サーバ３１は、受信したアドレス情報により特定されるサムネイル画像を読み出して、医用レポート作成装置２に送信する。
【００７３】
（図１１のステップ３４）
医用診断レポート作成装置２は、受信したサムネイル画像を記憶部２３に記憶する。
【００７４】
（図１１のステップ３５）
表示用画像生成部２１３は、記憶部２３に記憶されたサムネイル画像を読み出し、サムネイル画像を含む表示用の医用診断レポートを生成し、表示部２５に送る。
【００７５】
（図１１のステップＳ３６）
表示部２５は表示用画像生成部２１３から送られる医用診断レポートを図９、１０に示すように、医用診断レポート作成画面２５１に表示する。
【００７６】
以上のようにして、過去レポートにリンク付けされた医用画像全てのサムネイル画像が表示される。
【００７７】
また、本実施例においては、サムネイル画像のデータそのものは、画像サーバ３１が有するサムネイル画像生成部３１２によって生成されるが、レポート作成部２１１が認識するサムネイル画像生成の対象となる医用画像の画像データ保存部３１３上でのアドレス情報およびサムネイル画像生成指示部２１４から送られるサムネイル画像生成条件に基づいて、医用診断レポート作成装置２が有する表示用画像生成部２１３がサムネイル画像を生成し、サムネイル画像保存のために、ネットワークＮを介してこのサムネイル画像を画像データ保存部３１３へ送信してもよい。このようにすれば、サムネイル画像の生成と、そのサムネイル画像を含む表示用の医用診断レポートの生成および表示を医用診断レポート作成装置２で一括して行えるので、サムネイル画像の生成から表示までの一連の動作をより効率的に行なうことができる。
【００７８】
更に、サムネイル画像を医用画像の標準フォーマットであるＤＩＣＯＭフォーマット（画像データと患者情報や撮影条件等の付帯情報データからなる）で保存するような場合には、その付帯情報に関連するレポートＩＤを入れておき（例えば、プライベートタグに入れておく）、その付帯情報からレポートＩＤを使って所望のサムネイル画像を検索することができる。このような場合には、関連する過去レポートのデータをレポートサーバから読み出す必要がなく、図９に示したような表示が可能となる。
【００７９】
以上のようにして、医用診断レポートの所見情報と、医用画像のアドレス情報を用いずに各医用診断レポートに対応するサムネイル画像を一括表示することが可能となる。
【００８０】
尚、本実施例において医用診断レポート作成装置２、画像サーバ３１およびレポートサーバ３２に各ユニットを設けた例を以上のように説明したが、全ての処理をソフトウェアとして実現してもよい。
【００８１】
（効果）
本実施例によれば、サムネイル画像をレポート情報に含めるのではなく、画像サーバにサムネイル画像を生成し保存しておくことにより、過去の医用診断レポートの閲覧を行なう際、画像サーバ３１からサムネイル画像を読み出すだけで、効率的にサムネイル画像の表示を行うことができる。これにより、医用診断レポートのデータ容量を増やすことなくサムネイル画像を表示することが可能となり、操作者が、その医用画像を容易に把握することが可能となる。
【００８２】
更に、医用診断レポートに直接サムネイル画像を貼り付ける場合に比べ、レポートサーバ３２上の各医用診断レポートのデータ容量が抑えられるため、より多くの医用診断レポートが保存可能となる。
【００８３】
また、サムネイル画像の表示により医用画像を容易に把握できるので、わざわざオリジナルの医用画像を読み出す必要がなく、オリジナルの医用画像と比べてデータ量の少ないサムネイル画像のデータを画像サーバ３１から医用診断レポート作成装置２に送るだけであるので、より効率的にデータの送受信を行うことができる。
【００８４】
（実施例１の変形例１）
実施例１では、操作者が新規の医用診断レポートを作成する際に、画像サーバ３１が診断所見の根拠として指定する医用画像に関するサムネイル画像を作成、保存するが、画像サーバ３１にアクセスが集中するなど、画像サーバ３１にとって負担のかかるタイミングでサムネイル画像の作成を要求すると、結果サムネイル画像作成の効率を下げてしまう。
【００８５】
このような場合、サムネイル画像作成依頼に関する情報を一旦、画像サーバ３１側で蓄積し、画像サーバ３１の負担が軽いタイミングで一括してサムネイル画像生成を行なうことで、作業効率の低下を解消できる。
【００８６】
例えば、画像サーバ３１の制御部３１４が備えるメモリに、サムネイル画像生成指示部２１４からのサムネイル画像生成依頼のデータを一旦蓄積し、画像サーバ３１への負担が所定以下まで減少したことを制御部３１５が認識すると、メモリに記憶されるサムネイル画像生成依頼に関する情報に基づいて、サムネイル画像生成を行うよう、制御部３１５からサムネイル画像生成部３１２に指示信号が送られ、サムネイル画像生成部３１２が指示信号に基づいてサムネイル画像の生成、保存を行う。
【００８７】
以上のような構成、動作により、サムネイル画像の生成をより効率的に行なうことができる。
【実施例２】
【００８８】
実施例１では、リンク付け操作が行なわれた際に、サムネイル画像が生成され保存されるものであったが、本実施例では、過去レポートの表示の際に、サムネイル画像を生成するものである。
【００８９】
（構成）
本実施例における医用診断レポート作成装置２および画像サーバ３１の構成は、基本的に、前述の実施例１と同様であり、異なる点は、サムネイル画像をどの段階で生成するかだけである。つまり、本実施例では、新規の医用診断レポートを作成する方法は、実施例１と同様であるが、新規の医用診断レポートを作成する際のリンク付け操作によってサムネイル画像は生成されない。本実施例における、その生成タイミングについては、以下の本実施例の動作の説明において詳細に説明する。
【００９０】
（動作）
（図１２のステップＳ４１）
まず、医用診断レポート作成装置２の表示部２５には、これまで行われた検査のリストが表示される。この検査リストから、操作者が入力部２４を使って、医用診断レポートを作成する対象の検査を選択することにより、医用診断レポート作成画面２５１に新規作成用の医用診断レポートが表示される。そして、当該検査の読影対象としての医用画像を画像サーバ３１から受信し、医用画像表示画面２５２に表示する。
【００９１】
（図１２のステップＳ４２）
レポート作成部２１１は、選択された検査の患者ＩＤに基づいて、レポートサーバ３２上のデータベースから患者が過去に受けた検査に関する医用診断レポートを読み出す。例えば、レポートサーバ３２上の検査情報テーブルを参照し、患者ＩＤが同じレポートＩＤを特定し、所見情報テーブル及びアドレス情報テーブルから当該レポートＩＤに関連する情報を読み出す。その際、過去の医用診断レポートの読み出しは、新規の医用診断レポートの作成開始と連動して自動で行なわず、操作者による指示に基づいて行ってもよい。
【００９２】
（図１２のステップ４３）
読み出したレポート情報に含まれるアドレス情報とサムネイル画像生成条件とを含むサムネイル画像生成の指示を画像サーバ３１に送信する。この指示を受信した画像サーバ３１は、受信したアドレス情報に基づいて、サムネイル画像生成の対象となる医用画像を画像データ記憶部３１３より読み出し、受信したサムネイル画像生成条件に基づいてその医用画像のサムネイル画像を生成し、医用診断レポート作成装置２に送信する。
【００９３】
（図１２のステップ４４）
医用診断レポート作成装置２は、画像サーバ３１からサムネイル画像を受信し、記憶部２３に記憶する。
【００９４】
（図１２のステップ４５）
医用診断レポート作成装置２が有する表示用画像生成部２１３は、図９に示すようなサムネイル画像を含む医用診断レポートの表示用画像を生成し、表示部２５へ送る。
【００９５】
（図１２のステップＳ４６）
表示部２５は画像生成部２１３から送られたサムネイル画像を含む医用診断レポートの表示用画像を医用診断レポート作成画面２５１に表示する。
【００９６】
（効果）
本実施例によれば、サムネイル画像をレポート情報に含めるのではなく、過去レポートの表示の際にサムネイル画像を生成するようにしているので、実施例１と同様の効果が得られるばかりでなく、画像サーバにサムネイル画像を保存する必要がないので、画像サーバにサムネイル画像の記憶領域を確保する必要がない。
【００９７】
（実施例１、２の変形例）
また、医用診断レポート作成装置２において、医用診断レポート作成画面２５１上に表示するサムネイル画像は、医用診断レポートの所見の根拠となるキー画像だけでなく、そのキー画像に対する関連医用画像のサムネイル画像を表示しても良い。
【００９８】
ここで関連医用画像とは、キー画像と所定の関連性を持った医用画像である。例えばキー画像の基データが取得された時刻に対して所定の時間間隔で取得された基データにより生成された医用画像や、キー画像が示す被検体の体軸方向の位置を基点とし、その位置から所定の間隔の位置における医用画像等である。
【００９９】
この関連医用画像を医用診断レポート作成画面２５１に表示する際の動作例を説明する。
【０１００】
例えば、予めどのような関連性を持った医用画像を関連医用画像とするかを示す設定情報を記憶部２３に記憶しておく。設定情報としては、時間的に前後に取得されたもの、空間的に隣り合うもの等である。そして、リンク付け操作の際にキー画像のアドレス情報に加えて、設定情報に基づいて所定の関連がある医用画像のアドレス情報をも貼り付けるようにすれば良い。この場合、関連する医用画像のアドレス情報は、当該医用画像が記憶部２３に記憶されていれば、記憶部２３から得られるが、記憶部２３に記憶されていなければ、画像サーバ３１を検索して取得する。さらに、キー画像と、その他の関連医用画像との関係を表す指標（例えば取得時刻や体軸方向の位置関係など）をアドレス情報と併せて医用診断レポートに貼り付けておいてもよい。このように、関連医用画像のアドレス情報も貼り付けることによって、キー画像とその関連医用画像のサムネイルを表示することができる。
【０１０１】
図１３は、キー画像のみのサムネイル画像を表示するか、関連医用画像のサムネイル画像を表示するか選択を可能とする表示画面例を示している。Ｉ６は、過去レポートのリンク一覧を示しており、そこには、ＴＨ２１〜ＴＨ２７の７枚のサムネイル画像が表示されている。このような表示状態において、ＴＨ２３のサムネイル画像をマウス２４２等のポインティングデバイスにより指定する。
【０１０２】
その後、サムネイル画像の表示モードの選択ウィンドウが表示され、キー画像のみを表示する通常モードと、そのキー画像と同じ検査において取得された別の医用画像のサムネイル画像を表示する他画像表示モードが選択可能となる。操作者が他画像表示モードを選択すると、レポート情報に含まれるアドレス情報から、キー画像と、その他の関連医用画像のサムネイル画像が表示可能となる。サムネイル画像の生成は、これまで説明した実施例のいずれの方法でも良い。
【０１０３】
図１４は、関連医用画像のサムネイル画像を表示させる表示画面例を示している。キー画像（図１４中のＴＨ２３）とその他の関連医用画像（図１４中のＴＨ２３１〜ＴＨ２３３）との関係を示す指標に基づく順番で、入力部２４を使ったサムネイル画像の表示切替の指示入力に応じて、サムネイル画像が表示される。
【０１０４】
尚、図１４に示すように、キー画像およびその他の関連医用画像の縁に太枠などを設けて、操作者が他のキー画像（図１４中のＴＨ２１、ＴＨ２２、ＴＨ２４〜ＴＨ２７）と区別しやすいようにする。
【０１０５】
また、キー画像のみの表示に戻る場合には、前述のサムネイル画像の表示モードの選択ウィンドウから、表示モードを他画像表示モードから通常モードに切替えればよい。
【０１０６】
以上のような構成、動作により、各医用診断レポートの所見となるキー画像に加え、キー画像が取得された時刻の前後や、空間的に隣接する医用画像のサムネイル画像が閲覧可能となる。
【０１０７】
また、上記実施形態では、医用診断レポート作成装置２はレポート作成部２１１のような新規にレポートを作成する機能を備えているが、本発明は医用診断レポートと、そのレポートに含まれる文字情報にリンク付けされたアドレス情報に対応する医用画像のサムネイル画像を併せて表示できればよい。したがって、前述のレポート作成部２１１のような新規にレポートを作成する機能を医用診断レポート作成装置２が備えなくても構わない。
【０１０８】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０９】
【図１】本発明の実施例１における医療情報システムの構成を示すブロック図。
【図２】本発明の実施例１における医用診断レポート作成装置の構成を示すブロック図。
【図３】本発明の実施例１における画像サーバ、レポートサーバの構成を示すブロック図。
【図４】本発明の実施例１におけるレポートサーバが有する各種情報テーブルを示す図。
【図５】本発明の実施例１におけるレポートサーバが有する各医用診断レポートにおけるアドレス情報テーブルを示す図。
【図６】本発明の実施例１における医用診断レポート作成装置のドラッグ＆ドロップ操作によるハイパーリンクの貼り付け処理の様子を示す図。
【図７】本発明の実施例１における新規医用診断レポート作成時の医用診断レポート作成装置の動作を示すフローチャート。
【図８】本発明の実施例１におけるサムネイル画像の生成を行う際の画像サーバの動作を示すフローチャート。
【図９】本発明の実施例１における医用診断レポート作成画面上での過去に取得された医用診断レポートの表示例を示す図。
【図１０】本発明の実施例１における医用診断レポート作成画面上での過去に取得された医用診断レポートの表示例を示す図。
【図１１】本発明の実施例１における新規医用診断レポート作成時の医用診断レポート作成装置の動作を示すフローチャート。
【図１２】本発明の実施例２における新規医用診断レポート作成時の医用診断レポート作成装置の動作を示すフローチャート。
【図１３】本発明の実施例１、２の変形例における医用診断レポート作成画面上のリンク一覧に表示するサムネイル画像の切替表示の例を示す図。
【図１４】本発明の実施例１、２の変形例における医用診断レポート作成画面上のリンク一覧に表示するサムネイル画像の切替表示の例を示す図。
【符号の説明】
【０１１０】
１００  医療情報システム
Ｎ  ネットワーク
１  医用画像診断装置
２  医用診断レポート作成装置
２１  情報処理部
２１１  レポート作成部
２１２  ハイパーリンク処理部
２１３  表示用画像生成部
２１４  サムネイル画像生成指示部
２２  通信ポート
２３  記憶部
２４  入力部
２４１  キーボード
２４２  マウス
２５  表示部
２５１  医用診断レポート作成画面
２５２  医用画像表示画面
３  医療情報サーバ
３１  画像サーバ
３１１  通信ポート
３１２  サムネイル画像生成部
３１３  画像データ保存部
３１４  画像出力部
３１５  制御部
３２  レポートサーバ
３２１  通信ポート
３２２  レポートデータ保存部
３２３  レポート出力部
３２４  制御部
４  Ｗｅｂクライアント
【図１】
2010119512.tif 000003
【図２】
2010119512.tif 000004
【図３】
2010119512.tif 000005
【図４】
2010119512.tif 000006
【図５】
2010119512.tif 000007
【図６】
2010119512.tif 000008
【図７】
2010119512.tif 000009
【図８】
2010119512.tif 000010
【図９】
2010119512.tif 000011
【図１０】
2010119512.tif 000012
【図１１】
2010119512.tif 000013
【図１２】
2010119512.tif 000014
【図１３】
2010119512.tif 000015
【図１４】
2010119512.tif 000016